(57)【要約】【課題】少なくとも４軸以上の光軸を持った光学的検出器で線条体の外観を検出することで、人手を介することなく線条体の外表面傷や接合部を精度良く検出する線条体の外観検出方法及びその装置を提供することを目的とするものである。【解決手段】外観検出装置は、図１に示すように、線条体１の走行ラインＸ−Ｘ上に、走行ラインと交差する４軸以上の光軸Ｐを備えた八角形の貫通穴２を備えたブロック状の光学的検出手段３が設置してある。この光学的検出手段３は、投光器３ａと受光器３ｂとを備えた一対の凹凸検知器を複数台（この実施形態では４台）組合せて構成され、この各受光器３ｂ側には、個別に検出した検出信号に基づいて図２に示すように、前記線条体１の接合部Ｚや傷Ｑを判定する判定手段４を備えた１台の制御装置５が接続されている。【選択図】  図１
2005003418.tif 000002
【特許請求の範囲】
【請求項１】
走行ライン上を走行する線条体の外周面に、線条体の走行ライン上の２ヶ所に設けた光学的検出手段から線条体の走行ラインと交差する複数の測定光をそれぞれ照射し、前記測定光の受光側から出力される複数の検出信号を制御装置に入力し、この検出信号のうち、１方向からの検出信号のみが正常の時、前記制御装置により線条体の接合部であると判断し、該接合部を正常と判定する線条体の外観検出方法。
【請求項２】
前記線条体の外観検出を、少なくとも４軸以上の光軸を持った凹凸検知器から成る光学的検出手段を使用して行う請求項１に記載の線条体の外観検出方法。
【請求項３】
線条体の走行ライン上に、走行ラインと交差する４軸以上の光軸を備えた光学的検出手段を２ヶ所に設置し、この光学的検出手段の各受光器側に、個別に検出した検出信号に基づいて前記線条体の接合部を判定する判定手段を備えた制御装置を接続して成る線条体の外観検出装置。
【請求項４】
前記光学的検出手段は、４軸以上の光軸を持った凹凸検知器から成る光学的検出手段を配設した請求項３に記載の線条体の外観検出装置。
【請求項５】
前記判定手段に、複数の検出信号を比較して線条体の接合部であると判定する演算回路を設けた請求項３または４に記載の線条体の外観検出装置。
【発明の詳細な説明】
【０００１】
【発明の属する技術分野】
この発明は、ホース製造時等に使用される断面円形状のマンドレル（芯体）等の線条体の外観検出方法及びその装置に係わり、更に詳しくは線条体の表面傷や接合部を人手を介することなく自動的に検出することを可能とした線条体の外観検出方法及びその装置に関するものである。
【０００２】
【従来の技術】
従来、ホースの製造時には、芯体として断面円形状の樹脂やゴム等のマンドレルが使用されており、このような樹脂マンドレルやゴムマンドレル等は、ホース製造後に繋ぎ合わせて再利用することが行われている。しかし、ホースの製造時に外表面に傷が付いているマンドレルを使用すると、ホースの製造後にホース内面傷となって残り、ホースの製品不良を起こすと言う問題があった。
【０００３】
上記のような製品不良を防止するため、予めマンドレルの外観検査を行い、外表面の修正や傷の除去を行っている。従来のマンドレルの外観検査は、目視、触感等、人手による方法が主流であったが、近年、レーザー等の光学系の凹凸検知器が提案され、傷検知に有効な機器となっていた（例えば、特許文献１参照）。
【０００４】
【特許文献１】
特開平１０−１４２１６４号公報（第１〜第３頁、図１）
【０００５】
【発明が解決しようとする課題】
然しながら、レーザー等の光学系の凹凸検知器は、特に樹脂マンドレルを使用した場合、樹脂マンドレル特有の溶着による接合部の許容出来る微細なズレを誤検知すると言う問題があり、正確な外観検査を行うことが出来ないと言う問題があった。
【０００６】
この発明はかかる従来の問題点に着目し、少なくとも４軸以上の光軸を持った光学的検出器で線条体の外観を検出することで、人手を介することなく線条体の外表面傷や接合部を精度良く検出する線条体の外観検出方法及びその装置を提供することを目的とするものである。
【０００７】
【課題を解決するための手段】
この発明は上記目的を達成するため、この発明の線条体の外観検出方法は、走行ライン上を走行する線条体の外周面に、線条体の走行ライン上の２ヶ所に設けた光学的検出手段から線条体の走行ラインと交差する複数の測定光をそれぞれ照射し、前記測定光の受光側から出力される複数の検出信号を制御装置に入力し、この検出信号のうち、１方向からの検出信号のみが正常の時、前記制御装置により線条体の接合部であると判断し、該接合部を正常と判定することを要旨とするものである。
【０００８】
前記線条体の外観検出を、少なくとも４軸以上の光軸を持った凹凸検知器から成る光学的検出手段を使用して行うものである。
【０００９】
このように、線条体の走行ライン上の２ヶ所に設けた光学的検出手段から少なくとも４軸以上の光軸を持った光学的検出手段で線条体の外観を検出することで、人手を介することなく線条体の外表面傷や接合部を精度良く検出することが出来る。
【００１０】
また、この発明の線条体の外観検出装置は、線条体の走行ライン上に、走行ラインと交差する４軸以上の光軸を備えた光学的検出手段を少なくとも２ヶ所に設置し、この光学的検出手段の各受光器側に、個別に検出した検出信号に基づいて前記線条体の接合部を判定する判定手段を備えた制御装置を接続したことを要旨とするものである。
【００１１】
前記光学的検出手段は、４軸以上の光軸を持った凹凸検知器から成る光学的検出手段を配設し、前記判定手段に、複数の検出信号を比較して線条体の接合部であると判定する演算回路を設けたものである。
【００１２】
このような線条体の外観検出装置を使用することで、人手を頼ることなく検査の多台持ちが出来、複数の検知器を使用することで検査精度を向上させることが出来る。更に、検出信号の設定値を変えることで、ホースの用途にあった傷レベルの選択が可能である。
【００１３】
【発明の実施の形態】
以下、添付図面に基づき、この発明の実施形態を説明する。
【００１４】
図１は、この発明の線条体の外観検出方法を実施するための外観検出装置の概略構成図を示し、この発明の実施形態では、線条体１として、ホース製造時に使用される断面円形状の樹脂マンドレル（芯体）を示している。
【００１５】
前記外観検出装置は、図１に示すように、線条体１の走行ラインＸ−Ｘ上に、走行ラインと交差する４軸以上の光軸Ｐを備えた八角形の貫通穴２を備えたブロック状の光学的検出手段３が設置してある。
【００１６】
この光学的検出手段３は、投光器３ａと受光器３ｂとを備えた一対の凹凸検知器を複数台（この実施形態では４台）組合せて構成され、この各受光器３ｂ側には、個別に検出した検出信号に基づいて図２に示すように、前記線条体１の接合部Ｚや傷Ｑを判定する判定手段４を備えた１台の制御装置５が接続されている。
【００１７】
なお、この実施形態では、光学的検出手段３として４台の凹凸検知器を設置してあるが、装置が複雑にならない範囲で増加することも可能である。
【００１８】
またこの発明の外観検出装置では、図２に示すように前記線条体１の走行ラインＸ−Ｘ上の２ヶ所に光学的検出手段３が設置してある。前記制御装置５が接続された１台の判定手段４には、前記走行ラインＸ−Ｘ上の２ヶ所に設置された光学的検出手段３から出力された複数の検出信号を比較演算して、線条体１の接合部Ｚであると判定する図示しない演算回路が設けてある。
【００１９】
次に、線条体１の外観検出方法について説明する。
【００２０】
まず線条体１の走行ラインＸ−Ｘに線条体１を連続的に走行させ、この線条体１の走行時に光学的検出手段３の八角形の貫通穴２を挿通させる。そして、線条体１が２ヶ所に設置した光学的検出手段３の貫通穴２を挿通する時、前記走行ラインＸ−Ｘと交差する少なくとも４軸以上の測定光Ｐを線条体１の外周面に照射させる。
【００２１】
そして２ヶ所に設置した光学的検出手段３のうち、一方を接合部や傷がある線条体１が通過した時の受光器３ｂから出力される検出信号と、他方を接合部や傷がない線条体１が通過した時の検出信号の出力値の差を演算し、出力値の差がない時、或いは許容設定値以内であれば正常であると判定し、出力値に差があり、許容設定値を超えれば異常であると判定する。
【００２２】
前記測定光Ｐの受光器３ｂ側から出力される複数の検出信号を判定手段４を介して１台の制御装置５に入力し、この検出信号のうち、１方向からの検出信号のみが正常の時、前記制御装置５の図示しない演算回路で演算し、線条体１の接合部Ｚであると判断し、該接合部を正常と判定する。
【００２３】
即ち、演算回路による判定は、下記の表１に示すように、凹凸検知器から成る光学的検出手段３の測定光Ｐの１軸のみが正常（通過）の時、線条体１の接合部Ｚであると判断し、該接合部を正常と判定する。
【００２４】
また、光学的検出手段３の測定光Ｐの３軸が正常（通過）で、１軸が異常（検出）を検出した時には、線条体１の外周面に傷Ｑがあると判断し、該測定部を傷Ｑと判定する。また、光学的検出手段３の測定光Ｐの全てが正常（通過）である時、線条体１の外周面には傷Ｑがなく、良品と判定する。
【００２５】
これらの判定は、上述したように線条体１が２ヶ所に設置した光学的検出手段３から出力される複数の検出信号を判定手段４を介して１台の制御装置５に入力し、制御装置５の演算回路で演算することで判定するものである。
【００２６】
【表１】
2005003418.tif 000003
【００２７】
【発明の効果】
この発明は、上記のように走行ライン上を走行する線条体の外周面に、線条体の走行ライン上の２ヶ所に設けた光学的検出手段から線条体の走行ラインと交差する複数の測定光をそれぞれ照射し、前記測定光の受光側から出力される複数の検出信号を制御装置に入力し、この検出信号のうち、１方向からの検出信号のみが正常の時、前記制御装置により線条体の接合部であると判断し、該接合部を正常と判定するので、人手を介することなく線条体の外表面傷や接合部を精度良く検出することが出来る効果がある。
【００２８】
また、線条体の走行ライン上に、走行ラインと交差する４軸以上の光軸を備えた光学的検出手段を２ヶ所に設置し、この光学的検出手段の各受光器側に、個別に検出した検出信号に基づいて前記線条体の接合部を判定する判定手段を備えた制御装置を接続したので、人手を頼ることなく検査の多台持ちが出来、複数の検知器を使用することで検査精度を向上させることが出来、更に、検出信号の設定値を変えることで、ホースの用途にあった傷レベルの選択が可能である。
【図面の簡単な説明】
【図１】この発明の線条体の外観検出方法を実施するための外観検出装置の概略構成図である。
【図２】この発明の線条体の外観検出方法の説明図である。
【符号の説明】
１  線条体                    ２  貫通穴
３  光学的検出手段          ３ａ  投光器
３ｂ  受光器                    ４  判定手段
５  制御装置                  Ｚ  接合部
Ｑ  傷                    Ｘ−Ｘ  走行ライン
【図１】
2005003418.tif 000004
【図２】
2005003418.tif 000005